(57)【特許請求の範囲】
【請求項１】
主コンテンツを表示する第１の表示領域と、複数のサブコンテンツを表示する第２の表示領域と、使用者の操作入力情報を取得する操作情報取得部とを有する操作パネルと、
前記主コンテンツのもととなる高解像用コンテンツファイルと、前記高解像用コンテンツファイルに対応し、前記サブコンテンツのもととなる主コンテンツよりも低解像度の低解像用コンテンツファイルとを、カテゴリ情報に対応付けて記憶する記憶部と、
前記記憶部に記憶された前記高解像用コンテンツファイルを読み込み前記主コンテンツを前記第１の表示領域において再生し、前記記憶部に記憶された前記低解像用コンテンツファイルを読み込み前記サブコンテンツを前記第２の表示領域に再生するものであって、 前記第１の表示領域において前記主コンテンツを再生し終わった後に、前記再生した主コンテンツのもととなる前記高解像用コンテンツファイルに対応する前記低解像用コンテンツファイルを読み込み、前記サブコンテンツを前記第２の表示領域に表示する制御部と、
を有し、
前記制御部は、相互に異なるカテゴリに属する複数のサブコンテンツを前記第２の表示領域に順次表示するとともに表示開始時刻が最も古いサブコンテンツを当該第２の表示領域から順次削除するように、前記サブコンテンツを前記第２の表示領域に再生し、
前記操作情報取得部において前記第２の表示領域で表示する前記サブコンテンツに関する使用者の選択情報を取得した場合に、
再生中の主コンテンツと前記選択されたサブコンテンツとのカテゴリの異同を判定し、
カテゴリが同一の場合には、前記選択されたサブコンテンツに対応する動画ファイルを実行して、前記第１の表示領域に前記主コンテンツを再生し、
カテゴリが異なる場合には、さらに、前記選択されたサブコンテンツが属するカテゴリにおいて、前記サブコンテンツのうち前記第２の表示領域から最近削除されたコンテンツデータを前記第２の表示領域に表示する処理を実行する情報提供装置。
【請求項２】
前記操作パネルの前記第２の表示領域は、サブコンテンツの表示位置が前記カテゴリに対応した複数の表示領域に区分され、
前記制御部は、前記第２の表示領域の前記区分された表示領域それぞれに、当該カテゴリに属するサブコンテンツを再生し、
前記カテゴリの異同の判定により、カテゴリが異なる場合に、前記選択されたサブコンテンツが属するカテゴリにおいて、前記サブコンテンツのうち前記第２の表示領域から最近削除されたコンテンツデータを、前記第２の表示領域の該当カテゴリの表示領域に追加表示する
請求項１記載の情報提供装置。
【請求項３】
さらに、印刷データに基づいてシートに画像を印字する画像形成部を有し、
前記記憶部は、前記動画ファイルに対応する印刷データを記憶しており、
前記制御部は、前記操作情報取得部で前記第１の表示領域に表示されている前記主コンテンツに関して使用者が選択した選択情報を取得したと判定した場合に、前記第１の表示領域で表示している前記主コンテンツのもととなる動画ファイルに対応する前記印刷データを前記記憶部から抽出し、前記抽出した印刷データをシートに印字する請求項１又は２記載の情報提供装置。
【請求項４】
さらに、使用者の認証情報を取得する認証情報取得部を有し、
前記記憶部は、情報提供装置を使用することができる使用許可情報および各使用者に関する情報を記憶しており、
前記制御部が、前記認証情報取得部で取得した使用者の認証情報と前記記憶部で記憶している使用許可情報とが一致していると判定した場合に、前記記憶部に記憶されている前記認証情報取得部で取得した使用者に関する情報を前記操作パネルにおける前記第１の表示領域に表示する請求項１乃至３のいずれか１項に記載の情報提供装置。
【請求項５】
主コンテンツを表示する第１の表示領域と、複数のサブコンテンツを表示する第２の表示領域と、使用者の操作入力情報を取得する操作情報取得部とを有する操作パネルと、
前記主コンテンツのもととなる動画ファイルと、前記動画ファイルに対応し、前記サブコンテンツのもととなる静止画ファイルとを、カテゴリ情報に対応付けて記憶する記憶部と、
を有する装置で実行される情報提供プログラムであって、
前記動画ファイルを実行して、前記第１の表示領域において主コンテンツを再生し、
前記主コンテンツを再生し終わった後に、前記再生した主コンテンツのもととなる前記動画ファイルに対応する静止画ファイルを実行し、サブコンテンツを第２の表示領域において表示し、
相互に異なるカテゴリに属する複数のサブコンテンツを前記第２の表示領域に順次表示するとともに表示開始時刻が最も古いサブコンテンツを当該第２の表示領域から順次削除するように、前記サブコンテンツを前記第２の表示領域に再生し、
前記操作情報取得部において前記第２の表示領域で表示する前記サブコンテンツに関する使用者の選択情報を取得した場合に、
再生中の主コンテンツと前記選択されたサブコンテンツとのカテゴリの異同を判定し、
カテゴリが同一の場合には、前記選択されたサブコンテンツに対応する動画ファイルを実行して、前記第１の表示領域に前記主コンテンツを再生し、
カテゴリが異なる場合には、さらに、前記選択されたサブコンテンツが属するカテゴリにおいて、前記サブコンテンツのうち前記第２の表示領域から最近削除されたコンテンツデータを前記第２の表示領域に表示する処理を実行する処理をコンピュータに実行させるための情報提供プログラム。
【請求項６】
前記操作パネルの前記第２の表示領域を、サブコンテンツの表示位置が前記カテゴリに対応した複数の表示領域に区分させ、
前記第２の表示領域の前記区分された表示領域それぞれに、当該カテゴリに属するサブコンテンツを再生し、
前記カテゴリの異同の判定により、カテゴリが異なる場合に、前記選択されたサブコンテンツが属するカテゴリにおいて、前記サブコンテンツのうち前記第２の表示領域から最近削除されたコンテンツデータを、前記第２の表示領域の該当カテゴリの表示領域に追加表示する
ための請求項５に記載の情報提供プログラム。
【請求項７】
さらに、前記第１の表示領域において使用者の選択情報を取得し、
前記選択情報を取得した後に、前記第１の表示領域で表示している前記主コンテンツのもととなる前記動画ファイルに対応する印刷データを画像形成部へ送信し、前記画像形成部を動作させて、前記印刷データをシートに印字するための請求項５又は６に記載の情報提供プログラム。
【発明の詳細な説明】
【技術分野】
【０００１】
この明細書に記載の実施形態は、使用者の任意のタイミングで既に表示部に表示した情報を、再び表示部に表示する情報提供装置および情報提供プログラムの技術に関する。
【背景技術】
【０００２】
従来、駅や空港などの輸送機関の施設など多くの人が集まる場所に設置し、企業や商品の広告に関する動画および利用者のための情報等を表示する情報提供装置がある。この情報提供装置は、記憶部内に記憶された各種動画ファイル（高解像度用コンテンツファイル）および各種情報データを所定の順番で表示部に表示し、使用者に多くの情報を視聴させる。
【先行技術文献】
【特許文献】
【０００３】
【特許文献１】特開２００４−４５６１９号公報
【特許文献２】特開２００５−３３８７４３号公報
【発明の概要】
【発明が解決しようとする課題】
【０００４】
しかし、このような情報提供装置においては、使用者が表示部で表示されているファイルを視聴した後に、視聴したファイルに関する情報を使用者が取得するときには、既にそのファイルに関する情報が表示部に表示されておらず、使用者が取得することができない問題があった。また、この情報提供装置は、記憶部内に記憶された各種ファイルおよび各種情報を所定の順番で表示部に表示するため、使用者が取得したい情報に関するファイルが再び表示部に表示されるまで、使用者は情報提供装置の前で待つ必要があった。
【課題を解決するための手段】
【０００５】
本明細書に記載の実施形態に係る情報提供装置は、主コンテンツを表示する第１の表示領域とサブコンテンツを表示する第２の表示領域とを有する操作パネルと、主コンテンツのもととなる高解像度用コンテンツファイルと、主コンテンツに対応し、サブコンテンツのもととなる主コンテンツよりも低解像度の低解像度用コンテンツファイルとを記憶する記憶部と、記憶部に記憶された高解像度用コンテンツファイルを読み込み高解像度用コンテンツを第１の表示領域において再生し、記憶部に記憶された低解像度用コンテンツファイルを読み込みサブコンテンツを第２の表示領域に再生するものであって、第１の表示領域において高解像度用コンテンツを再生し終わった後に、再生した高解像度用コンテンツのもととなる高解像度用コンテンツファイルに対応する低解像度用コンテンツファイルを読み込み、サブコンテンツを第２の表示領域に再生する制御部と、を有する。
【図面の簡単な説明】
【０００６】
【図１】第１実施形態の情報提供装置の概略構成を示す図。
【図２】図１の情報提供装置におけるハードウェア構成を示すブロック図。
【図３】図１の情報提供装置における第１記憶部内で記憶する各種情報を示す図。
【図４】図１の情報提供装置における第１記憶部で記憶する各種コンテンツデータセットを示す図。
【図５Ａ】図１の情報表示装置におけるメインルーチンを示す制御フローチャートである。
【図５Ｂ】図１の情報表示装置における主コンテンツ再生処理を示す制御フローチャートである。
【図５Ｃ】図１の情報表示装置におけるサブコンテンツ更新処理１を示す制御フローチャートである。
【図５Ｄ】図１の情報表示装置におけるサブコンテンツ更新処理２を示す制御フローチャートである。
【図６】図１の情報表示装置における印刷処理の動作を示す制御フローチャートである。
【図７】主コンテンツ表示領域に主コンテンツ７を再生し、サブコンテンツ表示領域に低解像度用コンテンツ２、３、４、５、６を表示した操作パネルにおいて使用者が解像度用コンテンツ４を選択する場合を示す図である。
【図８】主コンテンツ表示領域に主コンテンツ２を再生し、サブコンテンツ表示領域に解像度用コンテンツ１を表示する操作パネルを示す図である。
【図９】図７に示す操作パネルにおいて印刷確認メッセージを表示した図である。
【図１０】第２実施形態の情報表示装置における操作パネルの表示を示した図である。
【図１１】第２実施形態の情報表示装置における表示処理の動作を示す制御フローチャートである。
【図１２】情報表示装置における印刷処理を示す制御フローチャートである。
【図１３】第３実施形態の情報表示装置において印刷処理および読取処理を実行した場合に表示する操作パネルを示す図である。
【図１４】図１３の操作パネルにおいて応募用紙の読み込みを選択した後に表示する操作パネルを示す図である。
【図１５】第４実施形態の情報提供装置のハードウェア構成を示すブロック図である。
【図１６】第４実施形態における認証処理を示す制御フローチャートである
【図１７】第４実施形態における認証装置の認証態様を示す概略図である。
【発明を実施するための形態】
【０００７】
（第１実施形態）
以下、第１実施形態の情報提供装置１を図面に基づいて説明する。図１は第１実施形態の情報提供装置１の概略構成を示す図であり、図２は図１の情報提供装置１におけるハードウェア構成を示すブロック図であり、図３は図１の情報提供装置１における第１記憶部２１内で記憶する各種情報を示す図であり、図４（a）は図１の情報提供装置１における第１記憶部２１で記憶するコンテンツデータセットを示す図であり、図４（b）は図４（a）の第１記憶部２１内で記憶しているコンテンツデータセットのそれぞれのコンテンツデータセットの関連関係を示す図である。
【０００８】
図１および２に示すように情報提供装置１は、情報表示装置２、画像形成装置３およびサーバ装置４を含む。
【０００９】
図２に示すように、情報表示装置２は、第１記憶部２１（記録部）、第１制御部２２（制御部）、操作パネル２３、ビデオ出力装置２４および通信装置２５を含む。
【００１０】
第１記憶部２１は、情報表示装置２内で実行する種々のプログラム、高解像度用コンテンツファイルおよび低解像度用コンテンツファイルを記憶するものであり、補助記憶装置２１１およびメモリ２１２を含む。
【００１１】
補助記憶装置２１１は、例えばＨＤＤ（Hard Disk Drive）などであり、図３に示すように、情報表示装置２における各種機能を実行するプログラム（機器制御スクリプト）、主コンテンツである高解像度の高解像度用コンテンツファイル（ＭＰＥＧ形式のデータ）、高解像度用コンテンツファイルに対応するサブコンテンツである低解像度の静止画ファイル（ＪＰＥＧ形式のデータ）、主コンテンツである高解像度の高解像度用コンテンツファイルに関連する詳細情報を印刷する印刷データ（ＰＤＦ形式のデータ、ＰＳ形式のデータ）および操作パネル２３において使用者が入力した入力情報を記憶する。これらの高解像度用コンテンツファイル、静止画ファイルおよび印刷データとしては、例えば、製品の広告動画、ニュース、地域情報、スーパーなどの店舗におけるセール品に関する情報、イベント情報、クーポン、似顔絵コンテストおよび応募用紙等のコンテンツデータに関するファイルやデータである。主コンテンツに高解像度の静止画ファイル、サブコンテンツに低解像度の動画ファイルなど主コンテンツ及びサブコンテンツに対して高解像度及び低解像度の動画、静止画を組み合せ、データセットを構成することも可能である。以降高解像度用コンテンツファイルを動画ファイルとし、高解像度ファイルより低解像度の低解像度コンテンツファイルを静止画ファイルとして説明をする。また、主コンテンツを動画再生コンテンツとし、サブコンテンツを静止画表示コンテンツとして説明をする。補助記憶装置２１１は、図４（a）に示すように、これらのコンテンツデータを、特定のコンテンツデータに関する動画ファイル、静止画ファイルおよび印刷データを１セットとするコンテンツデータセット毎に分けて記憶する。また、補助記憶装置２１１は、図４（b）に示すように、補助記憶装置２１１内で記憶している各コンテンツデータセットの関連関係を示す情報を記憶している。
【００１２】
メモリ２１２は、例えばＲＡＭおよびＲＯＭなどであり、補助記憶装置２１１内で記憶されるプログラム、特定のコンテンツデータに関するコンテンツデータセットおよび操作パネル２３に入力された入力データを取得して記憶する。第１制御部２２は、メモリ２１２内に記憶されたコンテンツデータに関する動画ファイルおよび静止画ファイル等を実行する。
【００１３】
操作パネル２３は、例えば静電容量方式（capacitive）または抵抗膜方式（resistive）のタッチパネルであり、表示部２３１および操作情報取得部２３２を含む。
【００１４】
表示部２３１は、図１に示すように、動画を再生する主コンテンツ表示領域２３１a（第１の表示領域）と静止画を表示するサブコンテンツ表示領域２３１ｂ（第２の表示領域）とを有する。主コンテンツ表示領域２３１aは、サブコンテンツ表示領域２３１ｂよりも広く設定されており、使用者に対して動画の内容を明確に把握させることができる。また、サブコンテンツ表示領域２３１ｂは、図１に示すように、複数の静止画ファイルを表示した静止画表示コンテンツを同時に表示させる領域であり、使用者に複数の情報を提供することができる。
【００１５】
操作情報取得部２３２は、使用者の各種表示画面をタッチする動作に関する情報を取得する。具体的には、操作情報取得部２３２は、使用者が主コンテンツ表示領域２３１a内をタッチする情報、サブコンテンツ表示領域２３１ｂ内で表示している静止画ファイルをタッチする情報（使用者の選択情報）および情報表示装置２における各種操作入力を受付ける。
【００１６】
ビデオ出力装置２４は、第１記憶部２１内で記憶されている動画ファイルを実行して、主コンテンツ表示領域２３１aに動画再生コンテンツを再生する。
【００１７】
第１制御部２２は、例えばＣＰＵ（Central Processing Unit）などのプロセッサであり、情報表示装置２全体を制御する。第１制御部２２は、情報表示装置２における各種処理を行う役割を有しており、第１記憶部２１内で記憶している種々のプログラムの実行、第１記憶部２１内で記憶されている静止画ファイルの実行、およびビデオ出力装置２４を動作させて、第１記憶部２１内に記憶されている動画ファイルの実行などを行う。この第１制御部２２が実行する動画ファイルおよび静止画ファイルは、メモリ２１２内に記憶されたコンテンツデータセットから抽出されたものである。このように、第１制御部２２は、第１記憶部２１に記憶された動画ファイルを実行して主コンテンツ表示領域２３１aで動画再生コンテンツを再生し、第１記憶部２１に記憶された静止画ファイルを実行してサブコンテンツ表示領域２３１ｂで静止画表示コンテンツを表示する。
【００１８】
また、第１制御部２２は、操作情報取得部２３２で動画再生コンテンツ表示領域２３１a内をタッチする情報を取得した場合には、現在、主コンテンツ表示領域２３１aで再生している動画再生コンテンツのもととなる動画ファイルに対応する印刷データを印刷するかの確認を行う印刷確認画面を表示する。また、操作情報取得部２３２でサブコンテンツ表示領域２３１ｂに表示されている静止画表示コンテンツをタッチした情報を取得した場合には、タッチした静止画表示コンテンツのもととなる静止画ファイルに対応する動画ファイルを主コンテンツ表示領域２３１aで再生する。
【００１９】
なお、上記第１記憶部２１、第１制御部２２を用いて実現される機能は、ＡＳＩＣ(Application Specific integrated Circuit)による実装で実現しても良い。
【００２０】
通信装置２５は、有線もしくは無線ネットワークであり、画像形成装置３およびサーバ装置４に接続されている。通信装置２５は、サーバ装置４内に記憶された各種情報を情報提供装置１内へ送信するとともに、使用者の操作パネル２３に入力した入力情報を画像形成装置３へ送信する。
【００２１】
図１および２に示すように、画像形成装置３である複合機（ＭＦＰ:Multi Function Peripheral）は、画像形成装置本体３１に、カラーの画像形成部３２と、複数の給紙カセット３３１を有する給紙部３３を備える。また、画像形成装置本体３１には、給紙カセット３３１内のシートを画像形成部３２に向けて搬送するシート搬送部３８と、シートに印字された画像を読取る画像読取部３６と、画像読取部３６へ自動的にシートを搬送する自動原稿給紙部（不図示）と、使用者から各種設定を受付ける表示パネル（不図示）とを有する。
【００２２】
また、画像形成装置本体３１には、画像形成装置３全体を制御し、例えばＣＰＵなどである第２制御部３４、画像形成装置３の各種機能を実行するプログラムおよび通信装置２５から送信される印刷データを記憶し、ＨＤＤ、ＲＡＭおよびＲＯＭなどから構成される第２記憶部３５を有する。さらに、画像形成装置本体３１は、画像読取部３６で読取った画像データや第２記憶部３５で記憶されている情報を画像形成装置３の外へ送信するＦＡＸ機能部３７も有する。なお、画像形成装置本体３１は、情報表示装置１およびサーバ装置４からプログラムや印刷データなどの情報を通信する通信部３９を有する。
【００２３】
画像形成部３２は、印刷データに基づいてシートに画像を印字する。画像形成部３２の具体的な構成としては、表面に感光層を設け、回転する感光体（不図示）を備え、この感光体の表面を均一に帯電する帯電器（不図示）、この帯電器で均一に帯電した感光層を露光して静電潜像を形成する露光部（不図示）を有する。また、画像形成部３２は、露光部による露光により形成された静電潜像をトナーで現像し顕像化する現像部（不図示）、この現像部で顕像化されたトナー像をシートに転写する転写部（不図示）、この転写部によりシートに帯電したトナーを回収するクリーニング部（不図示）を有する。さらに、画像形成部３２は、転写部によりシートに転写されたトナー像を加熱定着する熱定着器（不図示）も有する。
【００２４】
図２に示すように、サーバ装置４は、周知のサーバ装置の構成と同様であり、様々なコンテンツデータセットを記憶する。具体的には、サーバ装置４は、様々なコンテンツデータに関する動画ファイル、動画ファイルに対応する静止画ファイル、および動画ファイルに関連する詳細情報を印刷する印刷データ等を記憶する。サーバ装置４は、情報表示装置２からのデータ取得要求に基づき、情報表示装置２内へコンテンツデータセットを送信する。
【００２５】
次に、本実施形態の情報表示装置２に関する表示処理について説明する。図５Ａは図１の情報表示装置２におけるメインルーチンを示す制御フローチャートであり、図５Ｂは図１の情報表示装置２における主コンテンツ再生処理を示す制御フローチャートであり、図５Ｃは図１の情報表示装置２におけるサブコンテンツ更新処理１を示す制御フローチャートであり、図５Ｄは図１の情報表示装置２におけるサブコンテンツ更新処理２を示す制御フローチャートであり、図６は図１の情報表示装置２における印刷処理の動作を示す制御フローチャートであり、図７は主コンテンツ表示領域２３１aに動画再生コンテンツ７を再生し、サブコンテンツ表示領域２３１ｂに静止画表示コンテンツ２、３、４、５、６を表示した操作パネル２３において使用者が静止画表示コンテンツ４を選択する場合を示す図であり、図８は図７に示す操作パネル２３において印刷確認メッセージを表示した図であり、図９は主コンテンツ表示領域２３１aに動画再生コンテンツ２を再生し、サブコンテンツ表示領域２３１ｂに静止画表示コンテンツ１を表示する操作パネル２３を示す図である。
【００２６】
初期条件としては、サブコンテンツ表示領域２３１ｂ内には、５つのサブコンテンツ表示領域が設けられており、各サブコンテンツ表示領域それぞれに対して、静止画表示コンテンツを表示するものとする。
【００２７】
まず、メインルーチンについて説明する。図５Ａを参照して、第１制御部２２は、メモリ２１２内を初期化し（ＡＣＴ１０１、１０２）、補助記憶装置２１１内に記憶されたコンテンツデータセットをメモリ２１２内の再生リストに転送して設定する（ＡＣＴ１０３）。第１制御部２２は、メモリ２１２内の再生リストに設定されたコンテンツデータセットに関して後述の主コンテンツ再生処理を行い（ＡＣＴ１０４）、後述のサブコンテンツ更新処理１を行った後に（ＡＣＴ１０５）、情報提供装置１の動作終了の有無を判定する（ＡＣＴ１０６）。第１制御部２２は、動作終了に関する入力情報を操作情報取得部２３２で取得していないと判定した場合には（ＡＣＴ１０６ＮＯ）、補助記憶装置２１１内に記憶されている新しいコンテンツデータセットをメモリ２１２内の再生リストに転送して設定し（ＡＣＴ１０３）、上記同様の処理（ＡＣＴ１０４、１０５）を行う。
【００２８】
主コンテンツ再生処理について図５Ｂおよび５Ｄを用いて説明する。図５Ｂを参照して、第１制御部２２は、メモリ２１２内の再生リストに設定されたコンテンツデータセットから動画ファイルを抽出する（ＡＣＴ１１１、１１２）。第１制御部２２は、抽出した動画ファイルを実行して、動画再生コンテンツを主コンテンツ表示領域２３１aにおいて再生する（ＡＣＴ１１３）。第１制御部２２は、図５Ｄのサブコンテンツ更新処理２を行う（ＡＣＴ１１４）。
【００２９】
図５Ｄを参照して、第１制御部２２は、サブコンテンツ表示領域２３１b内において、最近表示された静止画表示コンテンツがあるかを判定する（ＡＣＴ１４１、１４２）。第１制御部２２が、サブコンテンツ表示領域２３１b内に最近表示された静止画表示コンテンツがあると判定すると（ＡＣＴ１４２ＹＥＳ）、第１制御部２２は最近表示された静止画表示コンテンツの表示枠に「ＮＥＷ」のオーバレイ表示を行う（ＡＣＴ１４３）。第１制御部２２は、直前に主コンテンツ表示領域２３１a内で再生していた動画再生コンテンツに対応する静止画表示コンテンツの枠を点滅表示させ（ＡＣＴ１４４）、サブコンテンツ更新処理２の処理を終了する（ＡＣＴ１４５）。
【００３０】
このように新しく追加した静止画表示コンテンツの枠に「ＮＥＷ」のオーバレイ表示を行うとともに、静止画表示コンテンツの枠を点滅表示させることで、使用者に対して、直前に動画再生コンテンツを再生していたコンテンツに対応する静止画表示コンテンツを容易に認識させることができる。
【００３１】
なお、新しく追加した静止画表示コンテンツの枠に「ＮＥＷ」のオーバレイ表示とともに静止画表示コンテンツの枠を点滅表示させるものとして説明したが特にこれに限られるものではない。例えば、新しく追加した静止画表示コンテンツの枠のみを点滅表示させるものとしても良いし、新しく追加した静止画表示コンテンツの属性を示す矢印を付け、その矢印を点滅表示させるものとしても良い。
【００３２】
サブコンテンツ更新処理２の処理を終了すると、図５Ｂの処理に戻り、第１制御部２２は、操作情報取得部２３２において使用者の操作パネル２３におけるタッチに関する情報を取得したかを判定する（ＡＣＴ１１５）。第１制御部２２が、操作情報取得部２３２で使用者の操作パネル２３におけるタッチに関する情報を取得していないと判定すると（ＡＣＴ１１５ＮＯ）、第１制御部２２は、主コンテンツ表示領域２３１aにおける動画再生コンテンツの再生が終了したかを判定する（ＡＣＴ１１６）。第１制御部２２が動画再生コンテンツの再生が終了していないと判定すると（ＡＣＴ１１６ＮＯ）、第１制御部２２は動画再生コンテンツの再生を続行する（ＡＣＴ１１３）。
【００３３】
第１制御部２２が、操作情報取得部２３２で使用者の操作パネル２３におけるタッチに関する情報を取得したと判定すると（ＡＣＴ１１５ＹＥＳ）、第１制御部２２は、操作情報取得部２３２で取得した使用者のタッチに関する情報がサブコンテンツ表示領域２３１ｂに関するものかを判定する（ＡＣＴ１１７）。第１制御部２２は、操作情報取得部２３２で取得した使用者のタッチに関する情報が図７に示すようにサブコンテンツ表示領域２３１bに関するものと判定した場合は（ＡＣＴ１１７ＹＥＳ）、サブコンテンツ表示領域２３１bに表示されている複数の静止画表示コンテンツのうち、どの静止画表示コンテンツを使用者によりタッチされたかを特定する（ＡＣＴ１１８）。第１制御部２２は、使用者によりタッチされて特定された静止画表示コンテンツに対応する動画ファイルをコンテンツデータセットから抽出して、メモリ２１２内の再生リストに設定する（ＡＣＴ１１９）。そして、第１制御部２２は、再生リストに設定された動画ファイルを実行して、図８に示すように主コンテンツ表示領域２３１a内において動画再生コンテンツを再生する。（第１制御部２２は、操作情報取得部２３２においてサブコンテンツ表示領域２３１ｂで表示する静止画表示コンテンツに関する使用者の選択情報を取得したと判定した場合に、選択された静止画表示コンテンツに対応する動画ファイルを実行して、主コンテンツ表示領域２３１aに動画再生コンテンツを再生する。）
【００３４】
このように、本実施形態の情報表示装置２は、サブコンテンツ表示領域２３１ｂに表示されている静止画表示コンテンツを使用者がタッチして、主コンテンツ表示領域２３１aにおいてタッチされた静止画表示コンテンツに対応する動画再生コンテンツを表示させることで、使用者は再生を終了した動画再生コンテンツを容易に再度視聴することができる。すなわち、本実施形態の情報表示装置２は、従来技術と異なり、再び使用者の所望する動画再生コンテンツが再生されるまで視聴者を情報表示装置２の前に待たせなくて済む。
【００３５】
図５Ｂの処理に戻り、第１制御部２２が操作情報取得部２３２で取得した使用者のタッチに関する情報がサブコンテンツ表示領域２３１ｂに関するものではないと判定すると（ＡＣＴ１１７ＮＯ）、第１制御部２２は、操作情報取得部２３２で取得したタッチに関する情報が主コンテンツ表示領域２３１aに関するものかを判定する（ＡＣＴ１２０）。第１制御部２２が、操作情報取得部２３２で取得したタッチに関する情報が主コンテンツ表示領域２３１aに関するものと判定した場合には（ＡＣＴ１２０ＹＥＳ）、第１制御部２２は、後述の主コンテンツ設定スクリプト実行処理を行う（ＡＣＴ１２１）。
【００３６】
第１制御部２２は、上記のような主コンテンツ再生処理を行った後に（図５ＢのＡＣＴ１２２）、サブコンテンツ更新処理１を実行する（図５ＡのＡＣＴ１０５）。
【００３７】
サブコンテンツ更新処理１について図５Ｃを用いて説明する。第１制御部２２は、主コンテンツ表示領域２３１aで再生していた動画再生コンテンツのもととなる動画ファイルに対応する静止画ファイルをコンテンツデータセットから抽出する（ＡＣＴ１３１、１３２）。第１制御部２２は、抽出した静止画ファイルの実行により表示された静止画表示コンテンツ（以下、抽出した静止画表示コンテンツという）がサブコンテンツ表示領域２３１b内に既に表示されているかを判定する（ＡＣＴ１３３）。
【００３８】
第１制御部２２が、抽出した静止画表示コンテンツがサブコンテンツ表示領域２３１ｂ内に表示されていないと判定すると（ＡＣＴ１３３ＮＯ）、サブコンテンツ表示領域２３１ｂ内に静止画表示コンテンツを追加して表示することができるかを判定する（ＡＣＴ１３４）。第１制御部２２は、サブコンテンツ表示領域２３１ｂ内に静止画表示コンテンツを追加して表示することができると判定すると（ＡＣＴ１３４ＹＥＳ）、第１制御部２２はサブコンテンツ表示領域２３１bにおいて表示した静止画表示コンテンツのうち最も追加表示した時刻が古いものを削除する（ＡＣＴ１３５）。
【００３９】
また、第１制御部２２が、抽出した静止画ファイルの実行により表示される静止画表示コンテンツがサブコンテンツ表示領域２３１b内に既に表示されていると判定すると（ＡＣＴ１３３ＹＥＳ）、サブコンテンツ表示領域２３１b内に既に表示されている静止画表示コンテンツと同じ静止画表示コンテンツデータを削除する（ＡＣＴ１３７）。
【００４０】
第１制御部２２は、このようにして削除された静止画表示コンテンツのサブコンテンツ表示領域２３１ｂ内のスペースを詰めて（ＡＣＴ１３６）、再生中のコンテンツデータセットから抽出された静止画ファイルを実行し、サブコンテンツ表示領域２３１ｂに新たな静止画表示コンテンツを追加する（ＡＣＴ１３８）。そして、第１制御部２２は、情報提供装置１の動作処理を終了するかを判定する（図５ＡのＡＣＴ１０６、図５ＣのＡＣＴ１３９）。
【００４１】
このように、本実施形態の情報表示装置２は、主コンテンツ表示領域２３１aで表示した動画再生コンテンツを再生した後に、サブコンテンツ表示領域２３１ｂ内に静止画表示コンテンツを表示することで、使用者自身がどのコンテンツデータを視聴したかを容易に把握することができる。（第１制御部２２が、主コンテンツ表示領域２３１aにおいて動画再生コンテンツを再生し終わった後に、再生した動画再生コンテンツのもととなる動画ファイルに対応する前記静止画ファイルを実行し、静止画表示コンテンツをサブコンテンツ表示領域２３１ｂに表示することで、使用者自身がどのコンテンツデータを視聴したかを容易に把握することができる。）
【００４２】
本実施形態の情報表示装置２における上記効果は、サブコンテンツ表示領域２３１ｂ内に静止画表示コンテンツが何も表示されていないときに有効である。具体的には、第１制御部２２は、主コンテンツ表示領域２３１aで再生された動画再生コンテンツが終了したと判定すると、図８に示すように動画再生コンテンツに対応する静止画表示コンテンツをサブコンテンツ表示領域２３１ｂ内に表示する。このように、サブコンテンツ表示領域２３１ｂ内に静止画表示コンテンツのみを表示させることで、使用者がどの静止画表示コンテンツを視聴したのかを一目で把握することができる。
【００４３】
また、本実施形態の情報表示装置２は、サブコンテンツ表示領域２３１ｂに表示されている静止画表示コンテンツを追加することができない場合には、最も追加した時刻が古い静止画表示コンテンツを随時削除していくことで、サブコンテンツ表示領域２３１ｂ内に表示されている静止画表示コンテンツを、視聴者が最近視聴したものだけに限ることができる。
【００４４】
次に主コンテンツ設定スクリプト実行処理について説明する。ここでは、主コンテンツ設定スクリプト実行処理が印刷処理である場合として説明する。
【００４５】
図６を参照して、第１制御部２２が、図５ＢのＡＣＴ１２１に示すように、主コンテンツ設定スクリプト実行処理を実行すると、図９に示すように操作パネル２３上に印刷確認メッセージを表示する（ＡＣＴ２００、２０１）。第１制御部２２は、操作情報取得部２３２が操作パネル２３上におけるタッチ動作に関する情報を取得したかを判定する（ＡＣＴ２０２）。第１制御部２２が、操作情報取得部２３２で操作パネル２３上におけるタッチ動作に関する情報を取得していないと判定した場合には（ＡＣＴ２０２ＮＯ）、タイマーを動作させて（ＡＣＴ２０６）、一定時間経過したかを判定する（ＡＣＴ２０７）。第１制御部２２が、操作情報取得部２３２で一定時間操作パネル２３上におけるタッチ動作に関する情報を取得していないと判定すると（ＡＣＴ２０７ＹＥＳ）、操作パネル２３上に表示された印刷確認メッセージを非表示にする（ＡＣＴ２０８）。
【００４６】
一方、第１制御部２２が、操作パネル２３上に印刷確認メッセージを表示してから、操作情報取得部２３２で操作パネル２３上におけるタッチ動作に関する情報を取得すると（ＡＣＴ２０２ＹＥＳ）、操作情報取得部２３２で取得したタッチ動作が操作パネル２３上に表示された印刷確認メッセージをタッチするものかを判定する（ＡＣＴ２０３）。第１制御部２２が、操作情報取得部２３２で取得したタッチ動作が印刷確認メッセージをタッチするものと判定した場合は（ＡＣＴ２０３ＹＥＳ）、メモリ２１２に記憶されたコンテンツデータから主コンテンツ表示領域２３１aで再生している動画ファイルに関連する印刷データを抽出する。第１制御部２２は、通信装置２５を動作させて、抽出した印刷データを画像形成装置３へ送信して、画像形成装置３における印刷処理を実行する（ＡＣＴ２０４）（第１制御部２２は、操作情報取得部２３２で主コンテンツ表示領域２３１aに表示されている動画再生コンテンツに関して使用者が選択した選択情報を取得したと判定した場合に、サブコンテンツ表示領域２３１ｂで表示されている動画再生コンテンツのもととなる動画ファイルに対応する印刷データを第１記憶部２１から抽出し、抽出した印刷データをシートに印字する）。そして、第１制御部２２は、操作パネル２３上に表示された印刷確認メッセージを非表示して、スクリプト処理を終了する（ステップＳ２０８、Ｓ２０９）。
【００４７】
他方、第１制御部２２が、印刷確認メッセージが操作パネル２３上に表示されてから、操作情報取得部２３２で取得したタッチ動作情報が印刷確認メッセージをタッチするものではないと判定した場合には（ＡＣＴ２０３ＮＯ）、操作パネル２３上に中止確認メッセージを表示し、使用者に主コンテンツ表示領域２３１aで再生されている動画ファイルを印刷するかを確認する（ＡＣＴ２０５）。そして、第１制御部２２が、操作情報取得部２３２で使用者による中止確認メッセージの選択情報を取得したと判定すると、操作パネル２３上に表示された印刷確認メッセージを非表示にして（ＡＣＴ２０８）、主コンテンツ設定スクリプト実行処理を終了する（ＡＣＴ２０９）。
【００４８】
このように、本実施形態の情報表示装置２は、主コンテンツ表示領域２３１aに表示されている動画再生コンテンツを使用者がタッチするだけで、動画再生コンテンツに関する詳細な情報をシートに印字させることができる。これにより、動画再生コンテンツには含まれていない情報に関しても、印刷データが印字されたシートを読むことで、使用者は自分の興味を持った情報に関して簡単にかつ詳しく知ることができる。
【００４９】
本実施形態において、第１制御部２２が操作情報取得部２３２で主コンテンツ表示領域２３１aを使用者がタッチした情報を取得した場合に、主コンテンツ表示領域２３１aで再生されている動画再生ファイルに関連する印刷データを印刷するかを確認する印刷確認メッセージを表示するものとして説明したが特にこれに限られるものではない。すなわち、本実施形態において、第１制御部２２が操作情報取得部２３２で主コンテンツ表示領域２３１aを使用者がタッチした情報を取得した場合に、主コンテンツ表示領域２３１aで再生されている動画再生コンテンツに関連するどの印刷データを印刷するのかの印刷選択メッセージを表示させても良い。この構成により、動画再生コンテンツの基となる動画ファイルに対応する印刷データが複数ある場合には、使用者は、任意の印刷データを選択することができる。
【００５０】
（第２実施形態）
第２実施形態の情報提供装置１は、操作パネル２３におけるサブコンテンツ表示領域２３１ｂの表示配置以外は、第１実施形態の情報提供装置１と同じ構成である。
【００５１】
図１０は第２実施形態の情報表示装置１における操作パネル２３の表示例を示した図であり、図１１は第２実施形態の情報表示装置１における表示処理の動作を示す制御フローチャートである。
【００５２】
第２実施形態の情報表示装置２における操作パネル２３は、図１０に示すように、表示部２３１上の主コンテンツ表示領域２３１aの上下左右にサブコンテンツ表示領域２３１ｂを設定する。このようにサブコンテンツ表示領域２３１ｂを設定することで、第１実施形態のように操作パネル２３の右側のみにサブコンテンツ表示領域２３１ｂを設定する場合に比べて、より多くの静止画表示コンテンツをサブコンテンツ表示領域２３１ｂに表示することができる。これにより、使用者が、操作パネル２３に表示された動画再生コンテンツおよび静止画表示コンテンツを視聴することで、より多くのコンテンツ情報を得ることができる。
【００５３】
また、第２実施形態の情報表示装置２における操作パネル２３は、図１０に示すように、主コンテンツ表示領域２３１aに対して上下左右に位置するサブコンテンツ表示領域２３１ｂをカテゴリ毎に分けて表示すると良い。例えば、図１０に示すように、操作パネル２３において、主コンテンツ表示領域２３１aに対して上、下、右、左のそれぞれに位置するサブコンテンツ表示領域２３１ｂには、催事情報、注目商品、タイムセールおよびイベント情報を表示する領域とする。このように、サブコンテンツ表示領域２３１ｂの表示位置をカテゴリ毎に分けることで、様々なカテゴリに属する静止画表示コンテンツを操作パネル２３に表示することができる。
【００５４】
第２実施形態の情報提供装置１は、第１実施形態の情報提供装置１に比べて、主コンテンツ再生処理における操作パネル２３上のタッチ動作がサブコンテンツ表示領域２３１ｂであった後の処理（図５ＢのＡＣＴ１１７ＹＥＳより後の処理）が異なる。そのため、第２実施形態と第１実施形態で異なる処理についてのみ、ここでは説明する。
【００５５】
図１１を参照して、第１制御部２２は、操作パネル２３におけるタッチ動作がサブコンテンツ表示領域２３１ｂをタッチするものと判定した場合に（ＡＣＴ３１７ＹＥＳ）、タッチ動作によりタッチされた静止画表示コンテンツを特定する（ＡＣＴ３１８）。第１制御部２２は、特定された静止画表示コンテンツに対応するコンテンツデータセット中の動画再生コンテンツを再生リストに設定する（ＡＣＴ３１９）。
【００５６】
第１制御部２２は、タッチ動作を行う前に操作パネル２３において再生していた動画再生コンテンツが属するカテゴリとタッチ動作によりタッチされた静止画表示コンテンツが属するカテゴリが同じであるかを判定する（ＡＣＴ３２２）。
【００５７】
第１制御部２２が、再生していた動画再生コンテンツとタッチされた静止画表示コンテンツが同じカテゴリに属すると判定した場合は（ＡＣＴ３２２ＹＥＳ）、第１制御部２２は、タッチされたコンテンツデータセット中の動画ファイルを抽出して実行し、主コンテンツ表示領域２３１aにおいて動画再生コンテンツを再生する（ＡＣＴ３２６）。
【００５８】
また、第１制御部２２が、再生していた動画再生コンテンツとタッチされた静止画表示コンテンツが同じカテゴリに属しないと判定した場合には（ＡＣＴ３２２ＮＯ）、タッチされた静止画表示コンテンツが属するカテゴリであって、タッチされたコンテンツ以外で最近、削除したコンテンツデータセットを特定してメモリ２１２に記憶する（ＡＣＴ３２３）。第１制御部２２は、特定されたコンテンツデータセット中の静止画ファイルを抽出し（ＡＣＴ３２４）、抽出した静止画ファイルを実行して、サブコンテンツ表示領域２３１ｂに静止画表示コンテンツを表示する（ＡＣＴ３２５）。そして、第１制御部２２は、タッチされたコンテンツデータセット中の動画ファイルを抽出して実行し、主コンテンツ表示領域２３１aで動画再生コンテンツを再生する（ＡＣＴ３２６、３２７）
【００５９】
このように、第２実施形態の情報表示装置２は、使用者がタッチしたサブコンテンツ表示領域２３１ｂ内に表示された静止画表示コンテンツの属するカテゴリと使用者のタッチ前から主コンテンツ表示領域２３１a内で表示された動画再生コンテンツの属するカテゴリが同じかを判定した後に、サブコンテンツ表示領域２３１ｂ内に表示する静止画表示コンテンツを設定することで、常にサブコンテンツ表示領域２３１ｂに表示された静止画表示コンテンツを偏りなく表示することができる。
【００６０】
（第３実施形態）
第３実施形態の情報提供装置１は、第２実施形態の情報提供装置１に対して主コンテンツ設定スクリプト実行処理を取得した後の処理以外は、第２実施形態と同じである。そのため、第２実施形態と第３実施形態とで異なる処理についてのみ説明する。図１２は情報表示装置２における主コンテンツ設定スクリプト実行処理の動作を示す制御フローチャートであり、図１３は第３実施形態の情報表示装置２において主コンテンツ設定スクリプト実行処理を実行した際の操作パネル２３に表示した画面を示す図であり、図１４は図１２の操作パネル２３において応募用紙の読み込みを選択した後の操作パネル２３を示す図である。なお、ここでの主コンテンツ設定スクリプト実行処理は印刷処理および読取処理として説明する。
【００６１】
第３実施形態の情報提供装置１において、操作情報取得部２３２が主コンテンツ設定スクリプト実行処理の情報を取得した後の第１制御部２２の処理について説明する。図１２を参照して、第１制御部２２は、主コンテンツ設定スクリプト実行処理を実行すると、図１３のように操作パネル２３上に印刷操作指示メッセージおよび読取り操作指示メッセージを表示する（ＡＣＴ４０１、４０２）。第１制御部２２は、操作情報取得部２３２でタッチ動作に関する情報を取得しないと判定し（ＡＣＴ４０３ＮＯ）、所定時間の間、この状態が継続されると（ＡＣＴ４１０、４１１ＹＥＳ）、操作パネル２３上に表示した印刷操作指示メッセージおよび読取り操作指示メッセージを非表示にして、主コンテンツ設定スクリプト実行処理を終了する（ＡＣＴ４１２、４１３）。
【００６２】
第１制御部２２が、操作情報取得部２３２でタッチ動作に関する情報を取得したと判定すると（ＡＣＴ４０３ＹＥＳ）、このタッチ動作が印刷操作指示メッセージ（図１３中の応募用紙を印刷）をタッチするものかを判定する（ＡＣＴ４０４）。第１制御部２２が、タッチ動作が印刷操作指示メッセージをタッチするものと判定すると（ＡＣＴ４０４ＹＥＳ）、通信装置２５を動作させて、主コンテンツ表示領域２３１aで再生されていた動画再生コンテンツに関する印刷データを画像形成装置３へ送信する（ＡＣＴ４０５）。そして、送信された印刷データを画像形成装置３でシートに印字する。シートに印刷データが印字された後に、操作パネル２３において表示されていた印刷操作指示メッセージおよび読取り操作指示メッセージを非表示にする（ＡＣＴ４１２）。
【００６３】
第１制御部２２が、タッチ動作が印刷操作指示メッセージに関するタッチ動作ではないと判定すると（ＡＣＴ４０４ＮＯ）、タッチ動作が読取り操作指示メッセージ（図１３中の応募用紙を読み込む）に関するタッチ動作かを判定する（ＡＣＴ４０６）。第１制御部２２は、タッチ動作が読取り操作指示メッセージをタッチするものと判定した場合には（ＡＣＴ４０６ＹＥＳ）、図１４のように画像形成装置３を操作して読取り対象となる原稿を読取る旨を操作パネル２３に表示する（ＡＣＴ４０７）。そして、第１制御部２２は、通信装置２５を動作させて、画像形成装置３における画像読取部３６で原稿の読取処理が完了したかを判定し、この読取った画像データを補助記憶装置２１１内またはサーバ装置４内に記憶する（ＡＣＴ４０８）。
【００６４】
このように、第１制御部２２が、使用者のタッチ動作が主コンテンツ表示領域２３１aであると判定した場合に、印刷操作指示メッセージと読取り操作指示メッセージの両方を操作パネル２３に表示させることで、使用者の画像形成装置３に対する使用用途に対応することができる。また、主コンテンツ表示領域２３１aで表示されるコンテンツに関する情報と画像形成装置３の機能とを関連づけて動作させることで、使用者が特定のコンテンツを実行する際の利便性を向上させることができる。例えば、特定のコンテンツが図１３に示すような似顔絵コンテストである場合には、それに必要な応募用紙の印刷処理と応募用紙の読み込み処理の両方を行うことができ、使用者の利便性を向上させることができる。
【００６５】
（第４実施形態）
第４実施形態の情報提供装置１は、第１実施形態の情報提供装置１に対して認証装置２６を追加した構成である。そのため、認証装置（認証情報取得部）２６と関係する処理について説明し、その他の処理に関しては第１実施形態の情報表示装置２と同じであるため、ここでの説明を省略する。図１５は第４実施形態の情報提供装置１のハードウェア構成を示すブロック図であり、図１６は第４実施形態における認証処理を示す制御フローチャートであり、図１７は第４実施形態における認証装置２６の認証態様を示す概略図である。
【００６６】
第４実施形態の情報表示装置２は、図１５に示すように、例えばＩＣカードリーダを含む認証装置２６を有するものである。認証装置２６は、使用者がＩＤカード等をかざした場合に、ＩＤカードから使用者の認証情報を取得し、取得した認証情報とサーバ装置４または補助記憶装置２１１内に予め記憶されている認証許可情報が一致するかを判定する。認証装置２６が、取得した認証情報と予め記憶されている認証許可情報が一致すると判定した場合は、認証成功情報を第１制御部２２へ送信する。また、第１記憶部２１内には使用者に関する情報が記憶されており、認証装置２６が認証成功情報を第１制御部２２へ送信した場合には、第１制御部２２は操作パネル２３に認証が成功した旨を表示する。
【００６７】
この構成により、情報表示装置２は、認証装置２６による認証許可情報に応じて、使用者の個人情報に関しても操作パネル２３に表示することができる。
【００６８】
次に、第４実施形態の情報表示装置２における認証処理について説明する。第１実施形態の情報表示装置２では、画像形成装置３へ送信する信号判定を印刷処理として説明したが、第４実施形態の情報表示装置２においては認証処理として説明する。
【００６９】
具体的には、第１制御部２２が、使用者のタッチ動作があり、このタッチ動作によるタッチ領域が主コンテンツ表示領域２３１aであると判定した場合には（図５ＢのＡＣＴ１２０ＹＥＳ）、認証装置２６を動作させる（図５ＢのＡＣＴ１２１、図１６のＡＣＴ５０１）。
【００７０】
図１６を参照して、第１制御部２２は、操作パネル２３において認証情報の要求画面を表示し（ＡＣＴ５０２）、使用者から認証情報の入力があるかを判定する（ＡＣＴ５０３）。認証装置２６が、所定時間の間、認証情報を取得しないと判定した場合には（ＡＣＴ５０４、５０５ＹＥＳ）、認証装置２６は認証情報の取得なしに関する情報を第１制御部２２へ送信し、第１制御部２２は操作パネル２３上に表示されていた認証情報の要求画面を非表示にする（ＡＣＴ５１２、５１３）。
【００７１】
第１制御部２２が、認証装置２６で認証情報を取得した場合には（ＡＣＴ５０３ＹＥＳ）、サーバ装置４または補助記憶装置２１１内に予め記憶されている認証許可情報と認証装置２６で取得した認証情報とを比較する（ＡＣＴ５０６）。第１制御部２２が取得した認証情報と認証許可情報が一致すると判定した場合に（ＡＣＴ５０６ＹＥＳ）、操作パネル２３において、認証成功メッセージとともに、その後の操作表示に関しては画像形成装置３の表示パネルに表示するメッセージ、を表示する（ＡＣＴ５０７）。第１制御部２２は、認証装置２６で認証情報を取得した使用者に対応する情報をサーバ装置４または補助記憶装置２１１内から抽出する（ＡＣＴ５０８）。第１制御部２２は、抽出した情報を表示パネルに表示して、使用者からの各種操作入力を受付ける（ＡＣＴ５０９）。そして、第１制御部２２は、この使用者の操作入力に基づいて、画像形成部３２へ各種信号処理を行う（ＡＣＴ５１０）。
【００７２】
例えば、使用者が表示パネルに表示されている抽出した情報のうち、検定試験を選択すると、第１制御部２２は、図１７のような使用者の申込み状況を踏まえた検定試験の申込み画面を操作パネル２３に表示する（ＡＣＴ５０９）。
【００７３】
この構成により、本実施形態の情報表示装置２は、認証装置２６で取得した情報が認証許可情報と一致した場合にのみ、補助記憶装置２１１またはサーバ装置４内に記憶されている使用者の個人情報を操作パネル２３に表示することで、使用者の個人情報が他の者に見られることを防止することができる。すなわち、本実施形態の情報表示装置２は、補助記憶装置２１１またはサーバ装置４内に記憶されている各使用者の個人情報を認証処理が成功した使用者以外の者に見られることを防止することができる。
【００７４】
また、第１制御部２２が、認証装置２６で取得した情報と認証許可情報とが一致しないと判定した場合には（ＡＣＴ５０６ＮＯ）、操作パネル２３に認証失敗のメッセージを表示する（ＡＣＴ５１１）。
【００７５】
（他の実施形態）
上記第１実施形態乃至第４実施形態においては、情報提供装置１を、情報表示装置２、画像形成装置３およびサーバ装置４を含むものとして説明したが、特にこれに限られるものではなく、情報表示装置２およびサーバ装置４を含むものとしても良い。すなわち、情報表示装置２に画像形成装置３の機能部（画像読取部３６、シート搬送部３８、ＦＡＸ機能部３７、画像形成部３２および給紙部３３）を持たせる構成としても良い。
【００７６】
また、上記実施形態で説明したプログラム（情報提供プログラム）は、コンピュータに読み取り可能な記録媒体に記録され、コンピュータによって読み取られて、本実施形態の情報提供装置１を用いた処理方法をコンピュータに実行させる機能を有する。このような機能に関して、本実施形態では、情報提供装置１の内部に発明を実施する機能が予め記録されている場合で説明したが、これに限らず同様の機能を通信装置２５から装置にダウンロードしてもよいし、同様の機能を記録媒体に記憶させたものを装置にインストールしてもよい。記録媒体としては、ＣＤ−ＲＯＭ等プログラムを記憶でき、かつ画像形成装置３が読取り可能な記録媒体であれば、その形態は何れの形態であってもよい。また、このように予めインストールやダウンロードによって得られる機能は、画像形成装置３の内部のＯＳ（オペレーティング・システム）等と協働してその機能を実現させるものであってもよい。
【００７７】
上記した実施形態は一例を示すもので、その精神または主要な特徴から逸脱することなく、他の様々な形で実施することができる。そのため、前述の実施形態はあらゆる点で単なる例示に過ぎず、限定的に解釈してはならない。特許請求の範囲によって示す技術的事項の解釈は明細書本文になんら拘束されない。さらに、特許請求の範囲の均等範囲に属する全ての変形、様々な改良、代替および改質は、すべて本発明の範囲内のものである。
【００７８】
以上に詳説したように、この明細書に記載の技術によれば、使用者の任意のタイミングで既に表示した情報に関して、再度操作パネルに表示させることができる。
【符号の説明】
【００７９】
１  情報提供装置
２  情報表示装置
２１  第１記憶部（記憶部）      ２１１  補助記憶装置      ２１２  メモリ      ２２  第１制御部（制御部）      ２３  操作パネル      ２３１  表示部      ２３１a  主コンテンツ表示領域（第１の表示領域）      ２３１b  サブコンテンツ表示領域（第２の表示領域）      ２３２  操作情報取得部      ２４  ビデオ出力装置      ２５  通信装置      ２６  認証装置（認証情報取得部）
３  画像形成装置
３１  画像形成装置本体      ３２  画像形成部      ３３  給紙部      ３３１  給紙カセット      ３４  第２制御部      ３５  第２記憶部      ３６  画像読取部      ３７  ＦＡＸ機能部      ３８  シート搬送部      ３９  通信部
４  サーバ装置
【図１】
0005711775.tif 000002
【図２】
0005711775.tif 000003
【図３】
0005711775.tif 000004
【図４】
0005711775.tif 000005
【図５Ａ】
0005711775.tif 000006
【図５Ｂ】
0005711775.tif 000007
【図５Ｃ】
0005711775.tif 000008
【図５Ｄ】
0005711775.tif 000009
【図６】
0005711775.tif 000010
【図７】
0005711775.tif 000011
【図８】
0005711775.tif 000012
【図９】
0005711775.tif 000013
【図１０】
0005711775.tif 000014
【図１１】
0005711775.tif 000015
【図１２】
0005711775.tif 000016
【図１３】
0005711775.tif 000017
【図１４】
0005711775.tif 000018
【図１５】
0005711775.tif 000019
【図１６】
0005711775.tif 000020
【図１７】
0005711775.tif 000021